(57)【要約】【課題】本発明は、安定的な構造を有する多方向スイッチを提供することを目的とする。【解決手段】本発明の多方向スイッチは、固定柱が設けられる基部と、貫通孔が形成されるハウジングと、前記基部とハウジングとの間に配置される回路基板と、互いに垂直に配置され、移動可能な第１可動部と第２可動部とを有する可動部材と、前記固定柱に対して外側に位置する周縁壁を有する基盤と前記可動部材を駆動可能な駆動部とが設けられる操作体と、前記周縁壁と前記固定柱との間に保持される弾性部材と、を備える。前記第１可動部及び第２可動部にはそれぞれ、第１方向に沿って延在する第１スロットと前記第１方向に対して垂直な第２方向に沿って延在する第２スロットとが形成される。前記駆動部が第１、第２スロットに挿入され、前記駆動部が前記第１方向に沿って移動される時、前記第２可動部が第１方向に沿って移動する。前記駆動部が前記第２方向に沿って移動される時、前記第１可動部が第２方向に沿って移動する。【選択図】図６
2014041812.tif 000002
【特許請求の範囲】
【請求項１】
底壁と固定柱とが設けられる基部と、
貫通孔が形成されるハウジングと、
前記基部とハウジングとの間に配置される回路基板と、
互いに垂直に配置され、移動可能な第１可動部と第２可動部とを有する可動部材と、
前記固定柱に対して外側に位置する周縁壁を有する基盤と、前記可動部材を駆動可能な駆動部と、が設けられる操作体と、
前記周縁壁と前記固定柱との間に保持される弾性部材と、
を備え、
前記第１可動部及び第２可動部にはそれぞれ、第１方向に沿って延在する第１スロットと前記第１方向に対して垂直な第２方向に沿って延在する第２スロットとが形成され、前記駆動部が第１、第２スロットに挿入され、前記駆動部が前記第１方向に沿って移動される時、前記第２可動部が第１方向に沿って移動し、前記駆動部が前記第２方向に沿って移動される時、前記第１可動部が第２方向に沿って移動することを特徴とする多方向スイッチ。
【請求項２】
前記基盤が前記周縁壁によって形成される収納孔を有し、前記弾性部材は、リング状に製造され、前記収納孔に収納され、内側が前記固定柱に当接可能、外側が前記周縁壁に当接可能であることを特徴とする請求項１に記載の多方向スイッチ。
【請求項３】
前記基部と回路基板との間には、前記基盤を収納するための第１収納スペースが形成され、前記ハウジングと回路基板との間には、前記可動部材を収納するための第２収納スペースが形成されることを特徴とする請求項１または２に記載の多方向スイッチ。
【請求項４】
前記操作体の駆動部が前記基部の固定柱に支持され、周縁壁が基部の底壁に支持され、前記ハウジングには前記回路基板に支持される複数の支持壁が設けられることを特徴とする請求項２または３に記載の多方向スイッチ。
【請求項５】
前記可動部材は、規制部と、前記第１可動部及び第２可動部にそれぞれ固着され、前記回路基板に移動して接触する複数の接触部材と、を備え、前記規制部が前記第１可動部に装着され、前記第２可動部が前記第１可動部と前記規制部との間に規制されることを特徴とする請求項１から４のいずれか一項に記載の多方向スイッチ。
【請求項６】
前記第１可動部の両端には、一対のリブと、一対の第１スリットと、が形成され、前記規制部の両端には、前記第１可動部の一対のリブの間に当接する一対の当接部が設けられ、前記ハウジングには、前記一対の第１スリットに嵌入される一対の保持部が設けられることを特徴とする請求項５に記載の多方向スイッチ。
【発明の詳細な説明】
【技術分野】
【０００１】
本発明は、多方向スイッチに関し、特に、検出可能な多方向スイッチに関するものである。
【背景技術】
【０００２】
従来技術の多方向スイッチは、基部と、前記基部の下方に装着される回路基板と、前記基部の上方に取り付けられるハウジングと、基盤と操作部とを有する操作体と、前記基盤の周縁に弾性的に装着されるリング状の弾性部材と、重なり合い、それぞれ互いに直交する第１方向と第２方向とに沿って延在する第１可動部及び第２可動部と、を備える。前記操作部が前記第１方向に沿って移動して駆動される時、前記第２可動部が第１方向に沿って移動する。前記操作部が前記第２方向に沿って移動して駆動される時、前記第１可動部が第２方向に沿って移動する。
【先行技術文献】
【特許文献】
【０００３】
【特許文献１】特許第３８１４２８０号公報
【発明の概要】
【発明が解決しようとする課題】
【０００４】
弾性部材は、リング状に製造され、前記基盤の周縁に装着される。このような弾性部材は、容易に前記基盤から外れる。
【０００５】
そこで本発明は、上述される従来技術の問題に鑑み、安定的な構造を有する多方向スイッチを提供することを目的とする。
【課題を解決するための手段】
【０００６】
前記目的を達成するために、本発明の多方向スイッチは、固定柱が設けられる基部と、貫通孔が形成されるハウジングと、前記基部とハウジングとの間に配置される回路基板と、垂直に配置され、移動可能な第１可動部と第２可動部とを有する可動部材と、前記固定柱に対して外側に位置する周縁壁を有する基盤と前記可動部材を駆動可能な駆動部とが設けられる操作体と、前記周縁壁と前記固定柱との間に保持される弾性部材と、を備える。前記第１可動部及び第２可動部にはそれぞれ、第１方向に沿って延在する第１スロットと前記第１方向に対して垂直な第２方向に沿って延在する第２スロットとが形成される。前記駆動部が第１、第２スロットに挿入され、前記駆動部が前記第１方向に沿って移動される時、前記第２可動部が第１方向に沿って移動する。前記駆動部が前記第２方向に沿って移動される時、前記第１可動部が第２方向に沿って移動する。
【発明の効果】
【０００７】
従来技術と比べると、本発明は以下の利点を有する。本発明の弾性部材は、操作体の周縁壁と基部の固定柱との間に保持される。駆動部が移動する時、弾性部材は、依然として周縁壁と固定柱との間に安定的に保持され、外れにくい。
【図面の簡単な説明】
【０００８】
【図１】本発明の多方向スイッチの組立斜視図である。
【図２】図１に示す多方向スイッチの分解斜視図である。
【図３】図２に示す多方向スイッチの別の分解斜視図である。
【図４】図１に示す多方向スイッチの弾性部材の斜視図である。
【図５】図３に示す多方向スイッチの弾性部材が基部に装着されるときの斜視図である。
【図６】図１に示す多方向スイッチのＡ−Ａ線に沿って切った断面図である。
【発明を実施するための形態】
【０００９】
図１〜図３を参照すると、本発明の多方向スイッチ１００は、基部２と、ハウジング３と、前記基部２とハウジング３との間に配置される回路基板４と、可動部材５と、操作体６と、弾性部材７と、防塵のためのカバー１０と、を備える。
【００１０】
前記基部２は、底壁２２と、前記底壁２２の周縁から上向きに延伸する側壁２３と、前記底壁２２の中央部から上向きに突出する固定柱２１と、を備える。前記ハウジング３の中央部には、貫通孔３１が形成される。前記ハウジング３の周囲には、複数の支持壁３３が下向きに延在し、支持壁３３と貫通孔３１との間には、前記支持壁３３より短い複数の保持部３２が下向きに延在する。回路基板４の中央部には、挿入孔４１が形成される。
【００１１】
可動部材５は、移動可能な矩形の第１可動部５１１及び第２可動部５１２と、規制部５５と、一対の接触部材５２と、を有する。前記第１可動部５１１には、両端に形成される一対のリブ５１１３と、リブ５１１３に形成された一対の第１スリット５１１１と、前記一対の第１リブ５１１３の間に位置し、第１方向に沿って延在する第１スロット５１１２と、が形成される。第２可動部５１２には、両端に設けられる一対の第２スリット５１２１と、前記一対の第２スリット５１２１の間に位置し、前記第１方向に対して垂直な第２方向に沿って延在する第２スロット５１２２と、が形成される。一対の前記接触部材５２は、それぞれ、前記第１可動部５１１及び第２可動部５１２に設けられ或いは取り付けられる。規制部５５の両端には、下方に向けて折り曲げられて一対の当接部５５１が設けられる。
【００１２】
前記操作体６は、円形の基盤６１と、前記基盤６１の中央部から上向きに延在し、前記可動部材５を駆動可能な駆動部６２と、を有する。前記駆動部６２には、階段部６２１が設けられる。階段部６２１は、基盤６１から連設される下段部が平面視で円形をなしており、この下段部に連設される上段部が平面視で矩形をなしている。前記基盤６１は、下向きに延在し、前記固定柱２１に対して外側に位置する周縁壁６１２と、前記周縁壁６１２によって包囲される収納孔６１１と、を有する。弾性部材７は、金属片によって、リング状に製造され、内周縁７１と外周縁７２とを含む。
【００１３】
図１〜図６を参照すると、前記多方向スイッチ１００を組み立てる時、弾性部材７は、前記基部２の固定柱２１を囲むように装着される。前記操作体６は、前記基部２に取り付けられる。前記操作体６の駆動部６２が前記基部２の固定柱２１に支持され、周縁壁６１２が基部２の底壁２２に支持される。前記弾性部材７が、前記収納孔６１１に収納される。前記弾性部材７は、前記固定柱２１と前記周縁壁６１２との間に保持され、内側が前記固定柱２１に当接可能、外側が前記周縁壁６１２に当接可能である。
【００１４】
前記回路基板４は、前記操作体６の基盤６１に支持される。前記基部２と回路基板４との間には、前記基盤６１を収納する第１収納スペース８が形成される。前記駆動部６２が前記回路基板４の挿入孔４１から延出する。前記可動部材５は、前記駆動部６２に装着される。前記駆動部６２は、順次に、直交する第１、第２可動部５１１，５１２の前記第１、第２スロット５１１２、５１２２に挿入される。第１、第２可動部５１１，５１２は、円形の階段部６２１に支持され、対応する矩形の階段部６２１と係合する。前記規制部５５の一対の当接部５５１は、前記第１可動部５１１の一対のリブ５１１３の間に当接される。前記第２可動部５１２が前記第１可動部５１１と前記規制部５５との間に規制される。続いて、ハウジング３が装着され、複数の支持壁３３が、回路基板４に支持され、二つの保持部３２が前記一対の第１スリット５１１１に挿入される。前記ハウジング３と回路基板４との間には、前記可動部材５を収納するための第２収納スペース９が形成される。カバー１０は、駆動部６２に装着され、ハウジング３の貫通孔３１を被覆する。
【００１５】
前記駆動部６２が前記第１スロット５１１２内で前記第１方向に沿って移動される時、前記第２可動部５１２が第１方向に沿って移動し、前記第２可動部５１２に固着される接触部材５２が、回路基板４に移動して接触する。この時、保持部３２と前記第１スリット５１１１との係合によって、第１可動部５１１が移動しない。前記駆動部６２が第２スロット５１２２内で前記第２方向に沿って移動される時、前記第１可動部５１１が第２方向に沿って移動し、前記第１可動部５１１に固着される接触部材５２が、回路基板４に移動して接触する。この時、第１可動部５は、保持部３２が前記第１スリット５１１１に挿入されていることにより、ガイドされる。
【００１６】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００１７】
１００  多方向スイッチ
１０  カバー
２  基部
２１  固定柱
２２  底壁
２３  側壁
３  ハウジング
３１  貫通孔
３２  保持部
３３  支持壁
４  回路基板
４１  挿入孔
５  可動部材
５１１  第１可動部
５１１１  第１スリット
５１１２  第１スロット
５１２  第２可動部
５１２１  第２スリット
５１２２  第２スロット
５１２３  リブ
５２  接触部材
５５  規制部
５５１  当接部
６  操作体
６１  基盤
６１１  収納孔
６１２  周縁壁
６２  駆動部
６２１  階段部
７  弾性部材
７１  内周縁
７２  外周縁
８  第１収納スペース
９  第２収納スペース
【図１】
2014041812.tif 000003
【図２】
2014041812.tif 000004
【図３】
2014041812.tif 000005
【図４】
2014041812.tif 000006
【図５】
2014041812.tif 000007
【図６】
2014041812.tif 000008